(57)【要約】【課題】バックアップ電池と該バックアップ電池から給電される電子回路（被バックアップ回路）が断線部を有する接続線で接続された電気機器において、出荷時における断線部の半田付け作業等の面倒な手作業を省略する。【解決手段】バックアップ電池７等が搭載された回路基板６及び被バックアップ回路を含む電子部品が筐体本体２内に収容され、筐体本体２に対して蓋体４が嵌合される。回路基板６に、スイッチ作用子１４ｓの退入により断線部の端部同士が導通され、スイッチ作用子１４ｓの突出により断線部の端部同士が非導通とされる機械的オンオフスイッチ１４が設けられる。蓋体４が筐体本体２に嵌合されるときに、蓋体４の内面に形成された突部４ｂがスイッチ作用子１４ｓの傾斜面１４ｆを押圧してスイッチ作用子１４ｓが退入され、蓋体４が筐体本体２から離間されるときに、突部４ｂがスイッチ作用子１４ｓから離間して、スイッチ作用子１４ｓが突出する。【選択図】図２
0003121049.tif 000002
【実用新案登録請求の範囲】
【請求項１】
回路基板に固定されたバックアップ電池と、
前記バックアップ電池に接続されることにより、メイン電池からの給電が断たれた状態でも記憶内容又は動作が維持される電子回路と、
前記バックアップ電池と前記電子回路とを接続する接続線に設けられた前記回路基板上の断線部と、
前記バックアップ電池、前記電子回路、前記断線部、及び前記回路基板を含む電子部品全体を収納する筐体本体と、
前記筐体本体に嵌合され、前記筐体本体と共に密閉された空間を構成する蓋体とを備える電気機器において、
前記断線部に、スイッチ作用子の退入により前記断線部の端部同士が導通され、前記スイッチ作用子の突出により前記断線部の端部同士が非導通とされる機械的オンオフスイッチが設けられ、
前記蓋体の内面に突部が形成され、
前記蓋体が閉じられた状態では、前記スイッチ作用子が前記突部に押圧されて退入することにより前記断線部が導通されて、前記電子回路が前記バックアップ電池に接続され、
前記蓋体が開けられた状態では、前記スイッチ作用子が前記突部から離間して突出することにより前記断線部が非導通とされて、前記電子回路が前記バックアップ電池から切離されることを特徴とする電気機器。
【請求項２】
バックアップ電池と、
前記バックアップ電池に接続されることにより、メイン電池からの給電が断たれた状態でも記憶内容又は動作が維持される電子回路と、
前記バックアップ電池と前記電子回路とを接続する接続線に設けられた断線部と、
前記バックアップ電池、前記電子回路、及び前記断線部を含む電子部品全体を密閉して収納する筐体とを備える電気機器において、
前記断線部に、前記筐体の内面に係合される状態ではオンに切替えられて前記バックアップ電池と前記電子回路とを導通させ、前記筐体の内面に係合されない状態ではオフに切替えられて前記バックアップ電池と前記電子回路とを非導通にするオンオフスイッチが設けられ、
前記電子部品全体が前記筐体内に密閉された状態では、前記オンオフスイッチの前記筐体内面との係合が維持されて前記電子回路が前記バックアップ電池に接続され、
前記電子部品全体の前記筐体内への密閉状態が開放されるときには、前記オンオフスイッチの前記筐体内面との係合が解除されて前記電子回路が前記バックアップ電池から切離されることを特徴とする電気機器。
【請求項３】
前記オンオフスイッチが、オンオフ動作に連動する作用子を備え、前記筐体の前記オンオフスイッチに近接する部分の内面に前記作用子と機械的に係合する突部が形成されることを特徴とする請求項２に記載の電気機器。
【考案の詳細な説明】
【技術分野】
【０００１】
本考案は、電気機器に関し、詳しくは時計回路等の電子回路をバックアップするバックアップ電池を備えた電気機器に関する。
【背景技術】
【０００２】
ＤＶＤレコーダ、ＨＤＤレコーダ、炊飯器、製パン機、ビデオカメラ、又はカメラ機能を有する携帯電話等の多くの電気機器には、時刻や日付を計時する時計回路、又はユーザが入力した種々の設定条件を記憶する記憶回路が備えられている。これら時計回路又は記憶回路は、日付、時刻を途切れることなく計時しなければならないとか、ユーザの設定した設定条件が、メイン電池の交換による給電圧の一時的な低下によって、又はユーザがコンセントを抜くことによってＡＣ電源との接続が断たれることにより消失されてしまわないように、通常はバックアップ電池に接続されている。
【０００３】
一方、電子スチルカメラに使用されるメモリカードにおいて、該メモリカードに記憶されたデータを保持するためのバックアップ電池を備えたものが知られている（例えば、特許文献１参照）。
【特許文献１】特開平３−６４１７２号公報
【考案の開示】
【考案が解決しようとする課題】
【０００４】
上述の電気機器におけるバックアップ電池と、該バックアップ電池に接続される時計回路等の電子回路（以下、被バックアップ回路という）は、通常断線部を有する接続線によって接続される。そして、上記断線部は、出荷前のバックアップ電池の無駄な消耗を防止するとか、出荷前の電流検査工程におけるバックアップ電池による影響を排除する等の理由のために、出荷直前まで断線状態のままにされ、バックアップ電池と被バックアップ回路は、上記断線部が出荷時に半田接続されることによって初めて導通される。
【０００５】
具体的に説明すると、バックアップ電池と被バックアップ回路の接続線の適所には、従来、小間隔の断線部が形成され、該断線部の接続線の端部にはそれぞれ半田が付着しやすいようにパッド部が形成され、製品出荷時に、このパッド部同士が半田で接続されるようになっている。このように小さな領域への半田付けがなるべく容易に行いやすいように工夫されてはいるが、手作業である半田付け作業は、面倒で作業コストのかかるものであった。
【０００６】
また、製品が出荷された後に、当該製品に何らかの故障が発生した場合、バックアップ電池と被バックアップ回路を含む電子部品が筐体から取出され、テスター等の検査装置を用いて回路の要所の電流測定が行われる。ところが、この電流測定によって正確な電流が計測されるようにするためには、電流測定に先立ってバックアップ電池を要測定箇所から切離しておかなければならず、この場合には、断線部に付着された半田を取除かなければならない。この半田取除き作業も手作業で行わなければならず、面倒であった。また、電流測定が終了した後には、断線部に半田付けを施して再び導通状態に戻さなければならなかった。
【０００７】
そこで、本考案は、バックアップ電池と被バックアップ回路が断線部を有する接続線で接続された電気機器において、出荷時における断線部の半田付け作業等の面倒な手作業を省略できる電気機器を提供することを目的とする。
【課題を解決するための手段】
【０００８】
上記目的を達成するために請求項１の考案は、回路基板に固定されたバックアップ電池と、前記バックアップ電池に接続されることにより、メイン電池からの給電が断たれた状態でも記憶内容又は動作が維持される電子回路と、前記バックアップ電池と前記電子回路とを接続する接続線に設けられた前記回路基板上の断線部と、前記バックアップ電池、前記電子回路、前記断線部、及び前記回路基板を含む電子部品全体を収納する筐体本体と、前記筐体本体に嵌合され、前記筐体本体と共に密閉された空間を構成する蓋体とを備える電気機器において、前記断線部に、スイッチ作用子の退入により前記断線部の端部同士が導通され、前記スイッチ作用子の突出により前記断線部の端部同士が非導通とされる機械的オンオフスイッチが設けられ、前記蓋体の内面に突部が形成され、前記蓋体が閉じられた状態では、前記スイッチ作用子が前記突部に押圧されて退入することにより前記断線部が導通されて、前記電子回路が前記バックアップ電池に接続され、前記蓋体が開けられた状態では、前記スイッチ作用子が前記突部から離間して突出することにより前記断線部が非導通とされて、前記電子回路が前記バックアップ電池から切離されることを特徴とする。
【０００９】
請求項２の考案は、バックアップ電池と、前記バックアップ電池に接続されることにより、メイン電池からの給電が断たれた状態でも記憶内容又は動作が維持される電子回路と、前記バックアップ電池と前記電子回路とを接続する接続線に設けられた断線部と、前記バックアップ電池、前記電子回路、及び前記断線部を含む電子部品全体を密閉して収納する筐体とを備える電気機器において、前記断線部に、前記筐体の内面に係合される状態ではオンに切替えられて前記バックアップ電池と前記電子回路とを導通させ、前記筐体の内面に係合されない状態ではオフに切替えられて前記バックアップ電池と前記電子回路とを非導通にするオンオフスイッチが設けられ、前記電子部品全体が前記筐体内に密閉された状態では、前記オンオフスイッチの前記筐体内面との係合が維持されて前記電子回路が前記バックアップ電池に接続され、前記電子部品全体の前記筐体内への密閉状態が開放されるときには、前記オンオフスイッチの前記筐体内面との係合が解除されて前記電子回路が前記バックアップ電池から切離されることを特徴とする。
【００１０】
請求項３の考案は、請求項２の考案において、前記オンオフスイッチが、オンオフ動作に連動する作用子を備え、前記筐体の前記オンオフスイッチに近接する部分の内面に前記作用子と機械的に係合する突部が形成されることを特徴とする。
【考案の効果】
【００１１】
本考案によれば、バックアップ電池と被バックアップ回路が断線部を有する接続線で接続された電気機器において、断線部に、筐体の内面との係合非係合状態に応じてオンとオフが切替えられる機械的オンオフスイッチが設けられることによって、出荷時における断線部の半田付け作業等の面倒な手作業を省略できる。
【考案を実施するための最良の形態】
【００１２】
以下、本考案の一実施形態に係る電気機器について、図面を参照して説明する。本実施形態の電気機器は携帯電話１であり、図１においては横に倒された状態で示される。この携帯電話１は、略直方形の筐体本体２と、該筐体本体２に嵌合され筐体本体２と共に後述の電子部品３を収納する密閉された空間を構成する蓋体４を備える。筐体本体２と蓋体４によって筐体５が構成される。
【００１３】
筐体本体２の開口縁部２ｄと蓋体４の開口縁部４ｄには、それぞれ互いに嵌合する段差部２ａ、４ａ（図２参照）が形成してあって、両者を嵌合するときに段差部２ａ、４ａ同士がガイドになって両者が平行を保ったまま円滑に嵌合される。段差部２ａ、４ａに代えて、筐体本体２の開口縁部２ｄ、又は蓋体４の開口縁部４ｄから互いの方向へ突出されるガイドを設けるようにしてもよい。
【００１４】
次に、電子部品３について説明する。電子部品３は、筐体本体２内部の上方において水平に配置された長方形の回路基板６と、回路基板６の下面の適所に固定されたリチウム電池等のバックアップ電池７と、回路基板６上、又は他の回路基板上に配置された時刻や日付を計時する時計回路、及びユーザが入力した受話音量等の種々の設定条件を記憶する記憶回路から構成される被バックアップ回路８（図３参照）と、回路基板６の上面に印刷回路として形成されたバックアップ電池７と被バックアップ回路８とを接続する接続線９を備えている。
【００１５】
そして、図２及び図３に示されるように、接続線９の断線部１３に、スイッチ作用子１４ｓの退入により断線部１３の端部１３ａ、１３ｂ同士が導通され、スイッチ作用子１４ｓの突出により断線部１３の端部１３ａ、１３ｂ同士が非導通とされる機械的オンオフスイッチ１４が設けられる。
【００１６】
電子部品３の主な構成要素の接続態様が図３において示される。断線部１３の一端部１３ａは接地され、他の端部１３ｂは、バックアップ電池７と抵抗１５を介して被バックアップ回路８に接続される。機械的オンオフスイッチ１４がオン（導通）されると、バックアップ電池７の電圧が抵抗１５を介して被バックアップ回路８へ供給され、機械的オンオフスイッチ１４がオフ（非導通）されると、被バックアップ回路８への電圧供給が停止される。
【００１７】
次に、機械的オンオフスイッチ１４の構造について、図２を参照して説明する。機械的オンオフスイッチ１４は、回路基板６上の比較的蓋体４寄りに配置され、スイッチ作用子１４ｓは、蓋体４から筐体本体２方向へ向けて上昇する傾斜面１４ｆを有する。そして、蓋体４が、図２（ａ）の矢印に示されるように移動して筐体本体２に嵌合されるときに、蓋体４の内面の角部に形成された突部４ｂが傾斜面１４ｆに乗上げてスイッチ作用子１４ｓを押圧してスイッチ作用子１４ｓが退入され、蓋体４が筐体本体２から離間されるときに（蓋体４が筐体本体２から外されるときに）、突部４ｂがスイッチ作用子１４ｓから離間して、スイッチ作用子１４ｓが内蔵するスプリングの弾発力によって突出する。
【００１８】
本実施形態の携帯電話１は、以上のとおりの構成であり製品出荷時等において、次のようにして、バックアップ電池７が被バックアップ回路８に接続又は非接続とされる。
【００１９】
製品出荷時には、図１に示されるように、筐体本体２に電子部品３が収納された状態で、作業者が蓋体４を筐体本体２に対して嵌合させる。蓋体４のこの移動動作によって、機械的オンオフスイッチ１４のスイッチ作用子１４ｓが、突部４ｂに押圧されて退入されるので、断線部１３が導通され、被バックアップ回路８が、それまでの給電を受けていない状態からバックアップ電池７に接続されて給電を開始される。給電を開始された被バックアップ回路８は、計時動作等の所定の動作を開始する。
【００２０】
上記の作業は、単に蓋体４を筐体本体２へ嵌合させることによって完遂されるので、半田付け作業に比べて極めて簡単である。また、筐体本体２に蓋体４を嵌合させる作業は、出荷時に必須の作業であるので、機械的オンオフスイッチ１４がオフのまま出荷されてしまう虞がない。つまり、断線部１３が未接続のまま出荷されて被バックアップ回路８が動作不能状態のまま出荷されてしまう虞がない。
【００２１】
また、製品出荷後に電子部品３の不良が疑われる何らかの故障が発生し、蓋体４を外して電子部品３を露出させ、要所の電流測定を行う場合には、作業者が蓋体４を開放することによって突部４ｂがスイッチ作用子１４ｓから離間し、スイッチ作用子１４ｓが突出するので断線部１３が非導通となり、被バックアップ回路８への給電が停止される。従って、作業者は、バックアップ電池７の影響を受けることなく要所の電流測定を行え、正確な測定結果を得ることができる。この電流測定が終了した後、作業者が蓋体４を閉じれば、製品出荷時と同様にして、断線部１３が接続され、バックアップ電池７から再び被バックアップ回路８へと給電が開始される。
【００２２】
なお、機械的オンオフスイッチ１４と蓋体４の内面に形成される突部４ｂの態様は、上述の態様以外に種々変形が可能である。例えば、機械的オンオフスイッチ１４のスイッチ作用子１４ｓは、傾斜面１４ｆを有しない略直方形状に形成され、蓋体４の内面に形成される突部４ｂは、スイッチ作用子１４ｓに近づくほど、スイッチ作用子１４ｓへの押圧面がスイッチ作用子１４ｓに接近する傾斜面を有する台形状であってもよい。
【００２３】
また、機械的オンオフスイッチ１４は、回路基板６上における、蓋体４とは反対側の筐体本体２の奥側寄りに配置され、機械的オンオフスイッチ１４のスイッチ作用子１４ｓに係合される突部は、筐体本体２の奥側に形成される構造として、回路基板６を含む電子部品３の全体が筐体本体２内に挿入されるときに、機械的オンオフスイッチ１４のスイッチ作用子１４ｓが筐体本体２の奥側の突部によって押圧されてオンに切替えられるようにしてもよい。この場合には、回路基板６が平行移動しながら筐体本体２の内へ円滑に挿入されるように、筐体本体２の内面に案内溝又は案内突条等から構成される回路基板６の案内部が形成されることが望ましい。
【００２４】
さらに、機械的オンオフスイッチ１４に代えて、発光素子と受光素子を備えた光スイッチを用いることもできる。この場合には、光スイッチは、該光スイッチのセンサ部分に蓋体４の内面の突部４ｂが接近又は進入することによってオンに切替えられ、センサ部分から突部４ｂが遠ざかる又は離間することによってオフに切替えられる。
【００２５】
次に、本考案をディジタルカメラに適用した変形例について、図４を参照して説明する。本変形例のディジタルカメラ２１は、前記携帯電話１とほぼ同一の構造であり、同一構造部分には同一番号を付して説明を省略する。相違する部分は、回路基板６にフラッシュ用の蓄電コンデンサ１１や、スピーカ１２が搭載されており、蓄電コンデンサ１１とスピーカ１２が図示しないメイン電池によって駆動される点である。筐体本体２に蓋体４を嵌合させれば、その作業に伴って機械的オンオフスイッチ１４がオンに切替えられ、被バックアップ回路８への給電が開始されて、製品として出荷可能な状態になる点も前記携帯電話１と同様である。
【００２６】
なお、本変形例のディジタルカメラ２１では、蓋体４の筐体本体２への嵌合状態が不完全であったり、機械的オンオフスイッチ１４のスイッチ作用子１４ｓの退入が不完全で機械的オンオフスイッチ１４が完全にはオンに切替えられない状態が生じる可能性がある。この場合は、被バックアップ回路８とバックアップ電池７が接続されていない不良品がそのまま出荷されてしまうという問題になる。
【００２７】
この問題を解決するために、被バックアップ回路８に給電が開始されたことを検出すると、その旨を作業者に対して報知する回路を回路基板６に備えることが望ましい。例えば、被バックアップ回路８に給電が開始されたことが検出されると、その検出結果に基づいてスピーカ１２から報知音（ビープ音）を短時間出力させるとか、時計表示用の液晶表示パネルに所定の文字、又は記号を短時間表示させる。このようにすれば、作業者は、報知音や液晶表示パネル上の所定の表示を確認することによって、被バックアップ回路８への給電が正常に開始されたことを認識できる。
【００２８】
以上のように、本考案に係る電気機器では、出荷時におけるバックアップ電池７と被バックアップ回路８の接続線９の断線部１３を半田付けによって接続する作業、及び出荷後の検査時等における断線部１３の半田付けを除去する作業や再度半田付けする作業を省略することができる。また、製品組立て時の手作業工程が省略されるので製品コストの低減を図ることができる。
【図面の簡単な説明】
【００２９】
【図１】本考案の一実施形態に係る携帯電話の蓋体が開けられた状態の斜視図。
【図２】（ａ）は、同携帯電話の蓋体が筐体本体から離間された状態の機械的オンオフスイッチと突部の態様を示す断面図、（ｂ）は、同携帯電話の蓋体が筐体本体に嵌合された状態の機械的オンオフスイッチと突部の態様を示す断面図。
【図３】同携帯電話のバックアップ電池と被バックアップ回路の接続態様を示すブロック図。
【図４】同変形例としてのディジタルカメラの蓋体が開けられた状態の斜視図。
【符号の説明】
【００３０】
１  携帯電話（電気機器）
２  筐体本体
３  電子部品
４  蓋体
５  筐体
６  回路基板
７  バックアップ電池
８  被バックアップ回路（電子回路）
９  接続線
１３  断線部
１４  機械的オンオフスイッチ（オンオフスイッチ）
１４ｓ  スイッチ作用子
２１  ディジタルカメラ（電気機器）
【図１】
0003121049.tif 000003
【図２】
0003121049.tif 000004
【図３】
0003121049.tif 000005
【図４】
0003121049.tif 000006